(57)【要約】【課題】光ディスクでは内周と外周で層厚に差が生じるため、球面収差の補正を半径方向に対して一箇所のみで行う場合、内外周での層厚ばらつきにより記録再生品質が劣化する。【解決手段】球面収差を補正するための調整領域を内周と外周に限らず、ディスクの任意の半径位置に設けることにより、記録する位置での最適な球面収差補正量を算出する。調整領域を任意の位置に設けることにより、ユーザデータ領域か調整領域かの判別が必要となるため、調整領域としての使用状況を把握するための管理情報をディスクの固定位置に保持する。【選択図】  図１
2011113616.tif 000002
【特許請求の範囲】
【請求項１】
光ディスクの内周部に設けた調整領域に調整用マークを記録し、内周における最適な球面収差補正量ＳＡｉｎを再生信号から算出するステップと、
前記光ディスクの外周部に設けた調整領域に調整用マークを記録し、外周における最適な球面収差補正量ＳＡｏｕｔを再生信号から算出するステップと、
前記内周で最適な球面収差補正量ＳＡｉｎと前記外周で最適な球面収差補正量ＳＡｏｕｔからユーザデータを記録する半径位置ｘで最適な球面収差補正量ＳＡｘを補間により算出するステップとを有することを特徴とする調整方法。
【請求項２】
請求項１に記載の調整方法であって、
前記内周の調整領域で最適な球面収差補正量ＳＡｉｎを算出するステップ及び前記外周の調整領域で最適な球面収差補正量ＳＡｏｕｔを算出するステップにおいて、前記調整領域にあらかじめ調整用マークが記録された光ディスクを用いて、球面収差の補正時に調整用マークの記録をすることなく再生信号を取得し、最適な球面収差補正量ＳＡｉｎとＳＡｏｕｔを算出することを特徴とする調整方法。
【請求項３】
ユーザデータ領域と区別するために調整領域としての使用状況を示す情報をディスクの固定位置に保持し、前記ディスクの任意の位置に調整領域を設けることを特徴とする調整方法。
【請求項４】
請求項３に記載の調整方法であって、
ユーザデータを記録する位置ｘに設けた調整領域Ａｘで調整用マークを記録し、その再生信号から半径位置ｘで最適な調整量を算出することを特徴とする調整方法。
【請求項５】
請求項３に記載の調整方法であって、
ユーザデータを半径位置ｘに記録するときに、位置ｘにおける最適な調整量を、位置ｘに新たに調整領域を設けて算出するか、既に作成した調整領域に記録された調整用マークを再利用して得られる再生信号から算出するかを選択することを特徴とする調整方法。
【請求項６】
請求項４に記載の調整方法であって、
ディスクの半径方向の層厚ばらつきから生じる球面収差の補正のために調整領域を利用することを特徴とする調整方法。
【発明の詳細な説明】
【技術分野】
【０００１】
本発明は、光ディスク装置における球面収差補正方法に関する。
【背景技術】
【０００２】
背景技術として、例えば、特許文献１（特開２００６−１３９８４１号）と特許文献２（特開２００６−３０２３２６号）がある。特許文献１及び特許文献２には、球面収差補正方法の一例が記載されている。
【先行技術文献】
【特許文献】
【０００３】
【特許文献１】特開２００６−１３９８４１号
【特許文献２】特開２００６−３０２３２６号
【発明の概要】
【発明が解決しようとする課題】
【０００４】
短波長のレーザ、高ＮＡの対物レンズを用いる光ディスクでは、板厚誤差により球面収差が発生し記録再生品質に影響を与える。板厚誤差はディスク製造時の接着精度が要因となりディスク表面から記録層までの距離の誤差や記録層間隔の誤差として生じる。このため光ディスク装置では球面収差の補正が実施される。
【０００５】
特許文献１では光ディスクが未記録かに関わらず、プッシュプル信号と再生信号に基づき、ある半径位置において球面収差を補正する手法が記載されている。また、特許文献２ではディスクの試し書き領域を利用して球面収差を補正する手法が記載されている。このように球面収差の補正は、ディスクの半径方向において一箇所のみで行われる。
【０００６】
光ディスクでは、ディスクの内周と外周で層厚に差が生じるため、球面収差の補正を半径方向において一箇所のみで行った場合、内外周での層厚ばらつきにより記録再生品質が劣化する。例えば、内周で球面収差を補正し、その補正量を外周でも使用した場合、外周では最適な球面収差補正量ではないため、記録再生品質が劣化してしまう。このため、光ディスク装置ではディスクに許容される半径方向の層厚ばらつきから生じる球面収差を補正することが課題である。
【０００７】
本発明は、上記課題を解決するためになされたものであり、光ディスクの半径方向における層厚ばらつきに対する記録再生の品質を改善する方法を提供することを目的とする。
【課題を解決するための手段】
【０００８】
上記目的は、一例として、特許請求の範囲に記載の発明により達成できる。
【発明の効果】
【０００９】
本発明により、光ディスクの半径方向における層厚ばらつきに対する記録再生の品質を改善することができる。
【図面の簡単な説明】
【００１０】
【図１】実施例１における球面収差の補正方法を示すフローチャート図。
【図２】本発明の実施例における光ディスク記録再生装置の構成を示す図。
【図３】実施例１におけるディスクの内外周の調整領域を示す図。
【図４】実施例１における内外周で算出した球面収差補正量と、推定した中周の球面収差補正量との関係を示す図。
【図５】実施例２における球面収差の補正方法を示すフローチャート図。
【図６】実施例３におけるディスク上での調整領域の位置と管理情報を示す図。
【発明を実施するための形態】
【００１１】
本発明の一態様では、半径方向の層厚ばらつきに応じて調整を行うための調整領域をディスクの任意の位置に設けることで、記録再生する位置ｘでの最適な調整量を求める。ただし、調整を行う位置が半径方向で一箇所のみであると、半径方向の層厚ばらつきに対応できないため、少なくとも２箇所以上、任意の位置に調整領域を設ける。その一例として、調整領域をディスクの内周と外周に設ける。各調整領域で調整用マークを記録し、その記録マークの再生信号に基づき調整を行い、内周で最適な球面収差補正量ＳＡｉｎと外周で最適な球面収差補正量ＳＡｏｕｔとを求める。内外周の球面収差補正量から補間により中周の半径位置ｘにおける最適な球面収差補正量ＳＡｘを推定し、半径位置ｘでは推定した球面収差補正量ＳＡｘで記録及び再生する。調整領域を任意の位置に設けるために、調整領域としての使用状況を管理しておくことが必要であるが、これを調整領域の管理情報としてディスクの固定位置に保持しておく。この管理情報は調整領域を新たに作成するときや、作成済みの調整領域を再利用して調整するときに利用する。
【００１２】
以下、本発明の実施例としての調整方法を、図面を参照しながら説明する。
【実施例１】
【００１３】
図２に本発明の実施例における光ディスク記録再生装置の構成を示す。
【００１４】
図２の構成によれば、上記レーザ光源１０２から放射された光束は、コリメートレンズ１０３で平行光束に変換され、所定の方向の直線偏光光だけが偏光ビームスプリッタ１０４を透過し、１／４波長板１０５で円偏光光に変換される。この円偏光光は、球面収差補正素子１１０により所定の球面収差が付加された後、全反射ミラー１０６上で反射され、対物レンズ１０８に導かれる。この対物レンズ１０８は入射した光束に対応して、光ディスク１０１の記録層に光スポット１０７を形成する。
【００１５】
一方、光ディスク１０１からの反射光束は、再び対物レンズ１０８、全反射ミラー１０６、球面収差補正素子１１０を通過し、その後１／４波長板１０５によりレーザ光源１０２から放射される直線偏光光に直交する直線偏光光に変換される。このため、光ディスク１０１からの反射光束は偏光ビームスプリッタ１０４において、その殆どが反射される。そして、この反射光束はシンドリカルレンズ１１１を通過し、集光レンズ１１２より所定の反射光スポット１１３に集束され、光検出器１１４で電気信号に変換される。
【００１６】
そして、上記光検出器１１４から出力される電気信号は、再生信号生成回路１２４とサーボ信号生成回路１２５に供給される。再生信号生成部１２４では、光ディスク１０１０に記録されている情報の再生信号が生成され、サーボ信号生成部１２５では、フォーカスエラー信号やトラッキングエラー信号等のサーボ制御用の信号が生成される。
【００１７】
システム制御部１２７は光ディスク装置全体を制御する機能を備えており、スピンドルモータ駆動回路１２１により、スピンドルモータ１１５に装着された光ディスク１０１の回転制御を行い、アクチュエータ駆動回路１２２により、アクチュエータ１０９を駆動する。これにより、対物レンズ１０８を動かし、フォーカス制御及びトラッキング制御を実行する。また、システム制御部１２７は、球面収差補正素子駆動回路１２３により、球面収差補正素子１１０を駆動させ球面収差を補正し、更にレーザ駆動回路１２６により、レーザ光源１０２を駆動し、レーザ光束を発光させる。
【００１８】
次に、本実施例における球面収差補正量の調整方法を図１のフローチャートを用いて説明する。
【００１９】
まず、手順Ｓ０１で初期値を用いてフォーカスサーボをかける。ただし、初期値とは例えばドライブ出荷時においてあらかじめ調整されたフォーカスオフセット量等である。手順Ｓ０２で球面収差補正量を変化させながら、トラッキング誤差信号の振幅を取得する。この振幅が最大となる球面収差補正量を初期調整結果として設定する。
【００２０】
次に、手順Ｓ０３で図３に示す内周側の調整領域へ移動し、トラッキングサーボをかける。手順Ｓ０４で所定の記録パワーで調整用マークを記録する。ただし、記録パワーはＯＰＣ学習等により求めたパワーとする。手順Ｓ０５で記録した調整用マークの再生信号に基づき、内周における最適な球面収差補正量ＳＡｉｎを求める。ここで、一例として球面収差補正量を変化させながら再生信号の振幅を取得し、振幅が最大となる球面収差補正量を最適値として設定する。
【００２１】
同様に、手順Ｓ０６からＳ０８では外周における最適な球面収差補正量ＳＡｏｕｔを求める。手順Ｓ０６で図３に示す外周側の調整領域へ移動し、トラッキングサーボをかける。手順Ｓ０７で所定の記録パワーで調整用マークを記録し、手順Ｓ０８で再生信号振幅に基づき、外周における最適な球面収差補正量ＳＡｏｕｔを求める。
【００２２】
そして、手順Ｓ０９で内外周の調整領域で求めた球面収差補正量ＳＡｉｎとＳＡｏｕｔとを図４に示すように直線近似し、球面収差補正量の半径方向の補間直線を算出する。ユーザデータを記録する中周の半径位置ｘでの最適な球面収差補正量ＳＡｘは、内外周の球面収差補正量から求めた補間直線から推定し、位置ｘでは推定したＳＡｘを用いて記録再生する。これにより、内外周の層厚ばらつきに応じて球面収差の補正が行えるため、半径方向の層厚ばらつきに対する記録再生品質を改善することができる。
【００２３】
上記実施例では、調整指標として再生信号の振幅を用いているが、球面収差の影響度合いを測ることができるＪｉｔｔｅｒ等を指標値としても良い。記録パターンは使用する指標値に応じて適宜、選択する。
【００２４】
上記実施例では、再生信号に基づく球面収差の補正を行うための調整領域を内周部と外周部に設けているが、ＯＰＣ学習で利用する内周部と外周部の試し書き領域を用いても良い。
【００２５】
上記実施例では、内外周で最適な球面収差補正量から半径位置ｘにおける最適な球面収差補正量ＳＡｘを近似直線から推定しているが、２次曲線で近似しても良い。例えば、内外周に加え中周でも最適な球面収差補正量を再生信号から算出し、内周、中周、外周における三つの球面収差補正量を２次曲線で近似し、位置ｘで最適な補正量ＳＡｘを推定しても良い。
【００２６】
上記実施例では、多層ディスクにおいてＬ０層からＬＮ層まですべての層で、再生信号に基づき内外周で最適な球面収差補正量を算出するが、内外周での層厚ばらつきが各層で同様の場合、すべての層でなく幾つかの層で内外周の最適調整量を算出し、最適調整量を測定により求めない残りの層は補間により最適調整量を推定しても良い。これにより、再生信号に基づく球面収差補正量の測定回数を減らし調整時間の短縮を図れる。例えば、３層ディスクの場合を例に説明する。Ｌ０層の内外周の最適な球面収差補正量ＳＡ０ｉｎとＳＡ０ｏｕｔとを再生信号に基づき求め、Ｌ２層の内外周の最適な球面収差補正量ＳＡ２ｉｎとＳＡ２ｏｕｔとを再生信号に基づき求める。そして、Ｌ１層の内周の最適な球面収差補正量ＳＡ１ｉｎをＬ０層とＬ２層の内周の最適な球面収差補正量ＳＡ０ｉｎとＳＡ２ｉｎから補間により求め、同様に外周についてもＳＡ１ｏｕｔをＳＡ０ｏｕｔとＳＡ２ｏｕｔから求める。
【実施例２】
【００２７】
実施例１では、調整領域で球面収差の補正量を算出する際に、調整用マークを記録し、その記録マークの再生信号に基づき補正を行うが、ディスクの出荷時に調整領域にあらかじめ調整用マークが記録されたディスクを用いても良い。本実施例における球面収差の補正方法を図５のフローチャートに示す。これは実施例１のフローチャート（図１）における内外周の調整領域での調整用マークの記録ステップを除いたフローチャートであり、残りの再生信号に基づく球面収差の補正手順等は実施例１の手順と同様である。これにより、半径方向の層厚ばらつきに対して球面収差の補正を行い記録再生品質の劣化を防ぎ、かつ調整時間の短縮が図れる。
【実施例３】
【００２８】
本実施例では、実施例１のように調整領域をディスクの内周と外周に限らず、調整領域を任意の位置に設けることを可能にしたディスクを用いて調整する方法について図６を用いて説明する。また、本実施例では任意の位置で球面収差を補正する調整方法について説明するが、例えばフォーカスオフセット量などの調整のために調整領域を用いても良い。
【００２９】
図６に示すようにアドレス１０，０００ｈの調整領域１で球面収差を調整する際には、調整領域１がユーザデータ領域内にあるため、調整領域１を調整に用いる、という使用状況を保持する必要がある。ディスク上で調整領域として使用した位置や、調整用マークとして用いた記録パターン等を、図６に示す調整領域の管理情報としてディスクの定められた位置に記録する。そして、ユーザデータを記録する位置に設けた調整領域１で調整用マークを記録し、その再生信号振幅からアドレス１０，０００ｈで最適な球面収差補正量を算出し、この補正量で記録再生を行う。このように、調整領域を任意の位置に設けることで、ユーザデータを記録する半径位置ｘで記録再生に最適な球面収差補正量ＳＡｘを直接求めることができ、内周と外周で最適な調整量から推定することによる誤差がないため、半径方向の層厚ばらつきに対する記録再生品質が改善できる。
【００３０】
また、ディスクの半径方向の層厚ばらつきに対応するために、調整位置を複数設ける際には調整領域を追加作成する。調整領域１に加え、アドレス２０，０００ｈの別の調整領域２で調整を行うには、調整領域の管理情報に調整領域２の情報を追加し、調整領域１での調整と同様に調整領域２で再生信号から最適な球面収差補正量を算出し、記録再生で用いる。
【００３１】
そして、このディスクを他のドライブＢで使用する場合には調整領域１や調整領域２に記録された調整用マークを利用して球面収差を調整するか、新たに別の調整領域３として調整領域を設けて調整を行うかを選択することができる。以上のように、ユーザデータを記録する位置に合わせて調整領域を任意の位置に配置し記録再生性能の改善が図れ、さらに作成済みの調整領域の再利用で記録再生品質が確保される場合には調整用マークの記録をする必要がなく調整時間の短縮を図ることができる。
【００３２】
上記実施例では、再生信号振幅を調整指標に用いているが、球面収差やフォーカスオフセット等の影響度合いを測ることができる指標値を用いればよく、調整用マークのパターンはその指標値に応じて適宜、選択する。
【００３３】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【００３４】
また、上記の各構成は、それらの一部又は全部が、ハードウェアで構成されても、プロセッサでプログラムが実行されることにより実現されるように構成されてもよい。また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００３５】
１０１  光ディスク
１０２  レーザ光源
１０３  コリメートレンズ
１０４  偏光ビームスプリッタ
１０５  １／４波長板
１０６  全反射ミラー
１０７  光スポット
１０８  対物レンズ
１０９  アクチュエータ
１１０  球面収差補正素子
１１１  シンドリカルレンズ
１１２  集光レンズ
１１３  反射光スポット
１１４  光検出器
１１５  スピンドルモータ
１２１  スピンドルモータ駆動回路
１２２  アクチュエータ駆動回路
１２３  球面収差補正素子駆動回路
１２４  再生信号生成回路
１２５  サーボ信号生成回路
１２６  レーザ駆動回路
１２７  システム制御部
【図１】
2011113616.tif 000003
【図２】
2011113616.tif 000004
【図３】
2011113616.tif 000005
【図４】
2011113616.tif 000006
【図５】
2011113616.tif 000007
【図６】
2011113616.tif 000008